(57)【要約】【課題】例えば液晶装置等の電気光学装置において、例えばフレキシブル基板等の接続基板に実装されたコンデンサの振動に起因する雑音を低減する。【解決手段】電気光学装置は、電気光学パネル（１００）と、電気光学パネルに接続された接続基板（２１０）と、接続基板に実装され、電気光学パネルを駆動するための駆動回路に含まれるコンデンサ（２２３）と、接続基板上に設けられ、接続基板の質量密度よりも高い質量密度を有し、電気光学パネルの駆動時にコンデンサの振動が伝播することによる接続基板の振動を抑制するための振動抑制部材（２０２）とを備える。【選択図】図３
2010204567.tif 000002
【特許請求の範囲】
【請求項１】
電気光学パネルと、
前記電気光学パネルに接続された接続基板と、
前記接続基板に実装され、前記電気光学パネルを駆動するための駆動回路に含まれるコンデンサと、
前記接続基板上に設けられ、前記接続基板の質量密度よりも高い質量密度を有し、前記電気光学パネルの駆動時に前記コンデンサの振動が伝播することによる前記接続基板の振動を抑制するための振動抑制部材と
を備えることを特徴とする電気光学装置。
【請求項２】
前記接続基板は、前記電気光学パネルに接続される接続部及び前記コンデンサが実装される本体部を有しており、
前記振動抑制部材は、前記本体部における前記コンデンサと前記接続部との間に配置される
ことを特徴とする請求項１に記載の電気光学装置。
【請求項３】
前記振動抑制部材は、前記コンデンサの周囲を少なくとも部分的に包囲するように配置されることを特徴とする請求項１又は２に記載の電気光学装置。
【請求項４】
前記振動抑制部材は、前記接続基板における前記コンデンサが実装されている側に配置されることを特徴とする請求項１から３のいずれか一項に記載の電気光学装置。
【請求項５】
請求項１から４のいずれか一項に記載の電気光学装置を具備してなることを特徴とする電子機器。
【発明の詳細な説明】
【技術分野】
【０００１】
本発明は、例えば液晶装置等の電気光学装置、及びこのような電気光学装置を備える電子機器の技術分野に関する。
【背景技術】
【０００２】
この種の電気光学装置は、例えば液晶パネル等の電気光学パネルと、この電気光学パネルに電気的に接続されたフレキシブル基板とを備える。フレキシブル基板には、例えば積層セラミックコンデンサ等のコンデンサが実装される。このようなコンデンサは、例えば、電気光学パネルを駆動するための昇圧回路におけるフライングコンデンサとして設けられる。昇圧回路では、チャージポンプ動作により複数の電圧が生成されるが、この際にフライングコンデンサに交流電圧が入力されることで、フライングコンデンサが機械的に振動して雑音（例えば高周波数の音）が発生してしまうおそれがある。更に、このようなフライングコンデンサの振動がフレキシブル基板、及びフレキシブル基板を介して電気光学パネル等にまで伝播し、フレキシブル基板や電気光学パネルも振動することで雑音が大きくなってしまう場合もある。尚、上述したフライングコンデンサと同様に、フレキシブル基板上の他のコンデンサについても交流電圧が入力されることによる振動が生じ、雑音の発生源となり得る。
【０００３】
このような雑音を低減するために、例えば昇圧回路におけるフライングコンデンサの動作について電気光学装置の駆動方法に変更を加えるか、或いは特許文献１に示されるような構成を適用して、フライングコンデンサ（及びその他のフレキシブル基板上のコンデンサ）の振動がフレキシブル基板等へ伝播するのを抑制することが考えられる。ここに、特許文献１には、表面波素子を有する表面波装置において、表面波素子上に反射層及び保護層を設けて、表面波素子から反射層に伝播した振動を、反射層及び保護層の界面で反射する技術が開示されている。
【先行技術文献】
【特許文献】
【０００４】
【特許文献１】特開２００３−３３８７３０号公報
【発明の概要】
【発明が解決しようとする課題】
【０００５】
しかしながら、電気光学装置の駆動方法を変更したり、フレキシブル基板上のコンデンサについて上述した特許文献１のような構成を適用したりするのは、製造プロセスが煩雑となる等の困難を伴うため実現し難いという技術的問題点がある。従って、コンデンサの振動に基づく雑音を低減するために、容易に実現可能な対策を施す必要がある。
【０００６】
本発明は、例えば上述した問題点に鑑みなされたものであり、例えばフレキシブル基板等の接続基板に実装されたコンデンサの振動に起因する雑音を低減することが可能な電気光学装置、及びこのような電気光学装置を備える電子機器を提供することを課題とする。
【課題を解決するための手段】
【０００７】
本発明に係る電気光学装置は上記課題を解決するために、電気光学パネルと、前記電気光学パネルに接続された接続基板と、前記接続基板に実装され、前記電気光学パネルを駆動するための駆動回路に含まれるコンデンサと、前記接続基板上に設けられ、前記接続基板の質量密度よりも高い質量密度を有し、前記電気光学パネルの駆動時に前記コンデンサの振動が伝播することによる前記接続基板の振動を抑制するための振動抑制部材とを備える。
【０００８】
本発明に係る電気光学装置は、例えば液晶パネル等の電気光学パネルと、この電気光学パネルを駆動する駆動回路の少なくとも一部を構成する集積回路が実装された例えばフレキシブル基板等の接続基板とを備える。電気光学パネルは、駆動回路によって駆動され、例えば、後の実施形態において詳述するような画像表示を行う。
【０００９】
接続基板は、典型的にはフレキシブル基板（ＦＰＣ：Flexible Printed Circuits）により構成され、駆動回路の少なくとも一部を構成する集積回路が実装されると共に、この集積回路を電気光学パネルに電気的に接続させるための配線等が作り込まれる。接続基板が電気光学パネルに接続されることで、集積回路が配線等を介して電気光学パネルと電気的に接続される。
【００１０】
集積回路は各種電子素子を含み、これらの電子素子は典型的には交流信号に基づいて所定の駆動周波数（例えばクロック信号の周期に基づく周波数）で駆動される。この際、電子素子であるコンデンサには所定周期の交流電圧が印加され、コンデンサが機械的に振動することがある。例えば、集積回路に含まれる電源回路における昇圧回路では、チャージポンプ動作により入力電圧を所定の出力電圧に昇圧する。この際、昇圧回路ではクロック信号に基づくタイミングでチャージポンプ動作が行われ、昇圧回路に含まれるフライングコンデンサにはクロック信号の周期に同期した交流電圧が印加される。その結果、フライングコンデンサが機械的に振動してしまうことがある。尚、フライングコンデンサ、及びその他の集積回路に含まれるコンデンサは、接続基板に実装される。
【００１１】
上述のような集積回路におけるコンデンサの振動により雑音が発生するおそれがある。更に、コンデンサの振動が接続基板、及び接続基板を介して電気光学パネル等にまで伝播することで、雑音が大きくなってしまう場合もある。
【００１２】
本発明では特に、接続基板上に例えばステンレス鋼等の金属からなる金属板やＰＥＴ（Polyethylene Terephthalate）等の樹脂材料からなるプラスチック板により構成された振動抑制部材が設けられる。振動抑制部材は、接続基板よりも高い質量密度（単位体積あたりの質量）を有している。本発明によれば、振動抑制部材が接続基板の少なくとも一部に所謂「おもり」として配置されることで、接続基板の少なくとも一部の重さを形式的に大きくし、コンデンサの振動を伝播し難くする、或いはコンデンサの振動が伝播して生じる振動を低減することが可能となる。従って、コンデンサの振動の伝播に起因する雑音（例えば高周波数の音）を低減することができる。つまり、本発明によれば、振動抑制部材によって、接続基板の音響インピーダンス（即ち、振動の伝わりにくさ）を、接続基板の少なくとも一部において大きくすることができ、コンデンサの振動が接続基板に伝播することで発生する雑音を低減することができる。尚、振動抑制部材は、例えば粘着テープで接続基板に貼り付けるなど、製造プロセスを煩雑化することなく接続基板に容易に設けることができ、電気光学装置の駆動方法やコンデンサの構成に変更を伴うこともない。また、振動抑制部材は、接着材、粘着材、異方性導電フィルム（ＡＣＦ：Anisotropic Conductive Film）、半田付けなどを用いて接続基板に取り付けてもよい。
【００１３】
以上説明したように、本発明に係る電気光学装置によれば、製造プロセスの煩雑化を殆ど或いは全く招くことなく、接続基板におけるコンデンサの振動に起因する雑音を低減することができる。
【００１４】
本発明に係る電気光学装置の一態様では、前記接続基板は、前記電気光学パネルに接続される接続部及び前記コンデンサが実装される本体部を有しており、前記振動抑制部材は、前記本体部における前記コンデンサと前記接続部との間に配置される。
【００１５】
この態様によれば、本体部において、コンデンサと接続部との間の振動抑制部材が配置された一部の重さを形式的に大きくすることが可能となる。よって、本体部において、コンデンサと接続部との間の一部で、電気光学パネルの駆動時に生じるコンデンサの機械的な振動を伝播し難くする、或いはコンデンサの振動が伝播して生じる振動を低減することが可能となる。従って、接続部に対しコンデンサの振動が伝播するのをより有効に抑制することができる。この結果、コンデンサの振動が接続基板の接続部を介して電気光学パネルに伝播し、電気光学パネルが振動して雑音が大きくなるのをより有効に防止することが可能となる。
【００１６】
本発明に係る電気光学装置の他の態様では、前記振動抑制部材は、前記コンデンサの周囲を少なくとも部分的に包囲するように配置される。
【００１７】
この態様によれば、接続基板において振動抑制部材はコンデンサの周囲を少なくとも部分的に包囲するように配置される。例えば、振動抑制部材はコンデンサの周囲を連続的に包囲するように配置されるか、或いは数箇所に個別的に配置される。従って、接続基板において、コンデンサの周囲を少なくとも部分的に包囲する振動抑制部材が配置された一部の重さを形式的に大きくして、コンデンサの振動を伝播し難くする、或いはコンデンサの振動が伝播して生じる振動を低減することが可能となる。その結果、接続基板においてコンデンサからその周囲へ、更には接続基板を介して電気光学パネル等にまで振動が伝播するのをより有効に抑制することができる。
【００１８】
本発明に係る電気光学装置の他の態様では、前記振動抑制部材は、前記接続基板における前記コンデンサが実装されている側に配置される。
【００１９】
この態様によれば、振動抑制部材は接続基板上においてコンデンサが実装されている側に配置される。ここに、電気光学装置には一例として、電気光学パネルの光源としてバックライトが設けられることがあり、接続基板は電気光学パネルに接続された一方側に対して他方側がバックライト（即ち電気光学パネルにおいて接続基板が接続された側と反対側）に向かって折り曲げられ、電気光学パネル及びバックライトと共に実装ケース内に収容される場合もある。振動抑制部材とコンデンサとが接続基板上において互いに反対側に設けられると、接続基板のコンデンサが配置された側と反対側に振動抑制部材を配置するスペースを設ける必要があり、接続基板を上記のように折り曲げる場合により広いスペースを要することとなる。これに対してこの態様では、接続基板を上記のように折り曲げる場合に、接続基板上においてコンデンサが実装された側とは反対側に振動抑制部材を配置するためのスペースを確保する必要がないため、より省スペース化を図ることが可能となる。
【００２０】
本発明の電子機器は上記課題を解決するために、上述した本発明の電気光学装置（但し、その各種態様も含む）を具備してなる。
【００２１】
本発明の電子機器によれば、上述した本発明の電気光学装置を具備してなるので、接続基板上のコンデンサの振動に起因する雑音が低減された、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた表示装置を実現することも可能である。
【００２２】
本発明の作用及び他の利得は次に説明する発明を実施するための形態から明らかにされる。
【図面の簡単な説明】
【００２３】
【図１】本実施形態に係る液晶パネルの構成を示す平面図である。
【図２】図１のＨ−Ｈ’線断面図である。
【図３】本実施形態に係る液晶装置の主要部の構成例を概略的に示す斜視図である。
【図４】液晶装置の駆動に係る主要な構成の一例を示すブロック図である。
【図５】本実施形態に係る液晶装置の電源回路の主要な構成を示すブロック図である。
【図６】昇圧回路の動作例を概略的に説明するためのタイミングチャートを示す図である。
【図７】フレキシブル基板上における振動抑制部材及びコンデンサの配置関係を概略的に示す平面図である。
【図８】フレキシブル基板の折り曲げ構造の一例を概略的に示す概略図である。
【図９】本実施形態の一変形例について、フレキシブル基板上における振動抑制部材及びコンデンサの配置関係を概略的に示す平面図である。
【図１０】本実施形態の他の変形例について、フレキシブル基板上における振動抑制部材及びコンデンサの配置関係を概略的に示す平面図である。
【図１１】フレキシブル基板の折り曲げ構造の他の例を概略的に示す概略図である。
【図１２】本発明に係る電気光学装置を適用した電子機器の一例たるタッチパネル機能を有するポータブルコンピュータの構成を概略的に示す斜視図である。
【発明を実施するための形態】
【００２４】
以下、図面を参照しながら、本発明に係る電気光学装置及び電子機器の各実施形態を説明する。本実施形態では、本発明に係る電気光学装置の一例としてアクティブマトリクス駆動方式を採用した液晶装置を挙げる。
【００２５】
先ず、本実施形態に係る液晶装置が備える液晶パネルの構成について、図１及び図２を参照して説明する。
【００２６】
図１は、本実施形態に係る液晶パネルの構成を示す平面図であり、図２は、図１のＨ−Ｈ’線断面図である。
【００２７】
図１及び図２において、本発明に係る「電気光学パネル」の一例としての液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００２８】
図１において、シール材５２が配置されたシール領域の内側に並行して、画像表示領域１０ａの額縁領域を規定する遮光性の額縁遮光膜５３が、例えば対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００２９】
尚、本実施形態では、データ線駆動回路１０１及び走査線駆動回路１０４が液晶パネル１００に内蔵されるように構成したが、データ線駆動回路１０１及び走査線駆動回路１０４の少なくとも一方（或いは、その一部）が、後述するフレキシブル基板上の集積回路（ＩＣ：Integrated Circuit)内に作り込まれてもよい。
【００３０】
図２において、ＴＦＴアレイ基板１０上には、画素スイッチング用ＴＦＴや走査線、データ線等の配線が作り込まれた積層構造が形成されている。画像表示領域１０ａには、画素スイッチング用ＴＦＴや走査線、データ線等の配線の上層に、例えばＩＴＯ（Indium Tin Oxide）等の透明材料からなる画素電極９がマトリクス状に設けられている。画素電極９上には、配向膜（図示省略）が形成されている。他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上に、例えばＩＴＯ等の透明材料からなる対向電極２１が複数の画素電極９と対向してベタ状に形成されている。対向電極２１上には配向膜（図示省略）が形成されている。また、液晶層５０は、例えば一種又は数種類のネマティック液晶を混合した液晶からなり、これら一対の配向膜間で、所定の配向状態をとる。
【００３１】
尚、ここでは図示しないが、ＴＦＴアレイ基板１０上には、データ線駆動回路１０１、走査線駆動回路１０４の他に、データ線に画像信号をサンプリングして供給するサンプリング回路、複数のデータ線に所定電圧レベルのプリチャージ信号を画像信号に先行して各々供給するプリチャージ回路、製造途中や出荷時の当該液晶装置の品質、欠陥等を検査するための検査回路、検査用パターン等が形成されていてもよい。
【００３２】
次に、本実施形態に係る液晶装置の主要部の構成について、図３を参照して説明する。
【００３３】
図３は、本実施形態に係る液晶装置の主要部の構成を概略的に示す斜視図である。尚、図３においては、図１及び図２を参照して説明した液晶パネル１００の詳細な構成については図示を省略し、概略的に示してある。
【００３４】
図３において、本実施形態に係る液晶装置の主要部には、液晶パネル１００と、この液晶パネル１００に接続されたフレキシブル基板（ＦＰＣ）２１０とが含まれている。
【００３５】
フレキシブル基板２１０は、本発明に係る「接続基板」の一例であり、集積回路が実装されると共に、この集積回路を液晶パネル１００に電気的に接続させるための配線等（図示省略）が作り込まれている。フレキシブル基板２１０は、当該フレキシブル基板２１０に作り込まれた配線等を介して液晶パネル１００の外部回路接続端子１０２に接続される。尚、図３では、フレキシブル基板２１０における集積回路（ＩＣ）の配置部分２２０ａを示し、集積回路の詳細な構成については図示を省略してある。
【００３６】
液晶パネル１００の駆動回路は、図１及び図２を参照して説明したデータ線駆動回路１０１や走査線駆動回路１０４、或いは図４を参照して後述するような電源回路３００や表示コントローラ４００を含む。フレキシブル基板２１０上の集積回路は、駆動回路の少なくとも一部（例えば電源回路や表示コントローラ（図４参照））を構成し、各種電子素子を含んでなる。
【００３７】
フレキシブル基板２１０は、集積回路が実装される本体部２１０ａ、及び液晶パネル１００に電気的に接続される接続部２１０ｂを有している。集積回路は電子素子としてコンデンサ２２３を有している。更に、本実施形態では特に、例えば後述するように交流電圧が印加されることによるコンデンサ２２３の振動に起因する雑音を低減するため、フレキシブル基板２１０の本体部２１０ａ上には振動抑制部材２０２が設けられている。図３中では、フレキシブル基板２１０の集積回路の配置部分２２０ａに実装されたコンデンサ２２３の配置例を概略的に示してある。尚、振動抑制部材２０２の構成については、図３に加えて図７を参照して後に詳細に説明する。
【００３８】
次に、本実施形態に係る液晶装置の駆動について、図４を参照して説明する。
【００３９】
図４は、本実施形態に係る液晶装置の駆動に係る主要な構成の一例を示すブロック図である。
【００４０】
図４において、本実施形態に係る液晶装置は、液晶パネル１００における画像表示領域１０ａにマトリクス状に設けられた複数の画素部７２を駆動するために、走査線駆動回路１０４と、データ線駆動回路１０１と、表示コントローラ４００とを含む駆動回路を備えており、更に、これら駆動回路に対して複数の電圧を供給する電源回路３００を備えている。
【００４１】
表示コントローラ４００は、図示しない中央演算処理装置（ＣＰＵ：Central Processing Unit）等のホストにより設定された内容に従って、データ線駆動回路１０１、走査線駆動回路１０４或いは電源回路３００の動作を制御する。データ線駆動回路１０１及び走査線駆動回路１０４は夫々、表示コントローラ４００で生成されるタイミング信号に基づいて、走査線１１に走査信号Ｇ１、・・・、Ｇｍを出力すると共に画像信号Ｄ１、・・・、Ｄｎをデータ線６に順次に出力する。画像信号Ｄ１、・・・、Ｄｎは、外部から供給される画像データ（或いは階調データ）に応じて生成される。
【００４２】
電源回路３００は、外部から供給されるシステム電源電圧を昇圧するなどして、複数の画素部７２を駆動するのに必要な各種の電圧（例えば階調電圧）を生成可能に構成されている。電源回路３００は、図５を参照して後述するように、複数の昇圧回路３１０（即ち、昇圧回路３１０−１、…、３１０−ｎ）を含んで構成され、複数の電圧をデータ線駆動回路１０１、走査線駆動回路１０４等に供給する。
【００４３】
図４において、液晶パネル１００における画像表示領域１０ａにマトリクス状に形成された複数の画素部７２には、それぞれ、画素電極９と、この画素電極９をスイッチング制御するための画素スイッチング用ＴＦＴ３０とが形成されており、画像信号Ｄ１、・・・、Ｄｎが供給されるデータ線６の各々は画素スイッチング用ＴＦＴ３０のソースに電気的に接続されている。データ線６に書き込む画像信号Ｄ１、・・・、Ｄｎは、この順に線順次に供給しても構わないし、互いに隣り合う複数のデータ線６同士に対して、グループ毎に供給するようにしてもよい。また、画素スイッチング用ＴＦＴ３０のゲートに走査線１１が電気的に接続されている。走査線１１には、上述したように、走査線駆動回路１０４から所定のタイミングで走査信号Ｇ１、Ｇ２、・・・、Ｇｍが、この順に線順次で印加される。尚、本実施形態では、説明の簡単のため、走査信号Ｇ１、Ｇ２、・・・、Ｇｍがこの順に線順次で走査線１１に印加されるように構成しているが、走査信号Ｇ１、Ｇ２、・・・、Ｇｍが走査線１１に印加される順序は、任意の順序であってもよい。画素電極９は、画素スイッチング用ＴＦＴ３０のドレインに電気的に接続されており、スイッチング素子である画素スイッチング用ＴＦＴ３０を一定期間だけそのスイッチを閉じることにより、データ線６から供給される画像信号を所定のタイミングで書き込む。
【００４４】
画素電極９を介して液晶に書き込まれた所定レベルの画像信号は、対向基板２０（図３参照）に形成された対向電極２１（図３参照）との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置からは画像信号に応じたコントラストをもつ光が出射する。
【００４５】
ここで保持された画像信号がリークするのを防ぐために、画素電極９と対向電極２１との間に形成される液晶容量と並列に蓄積容量７０が付加されている。蓄積容量７０の一方の電極は、画素電極９と並列して画素スイッチング用ＴＦＴ３０のドレインに電気的に接続され、他方の電極は、定電位となるように、電位固定の容量配線８に電気的に接続されている。
【００４６】
次に、本実施形態に係る液晶装置の電源回路の主要な構成について、図５を参照して説明する。
【００４７】
図５は、本実施形態に係る液晶装置の電源回路の主要な構成を示すブロック図である。
【００４８】
図５において、電源回路３００は、複数の昇圧回路３１０（即ち、昇圧回路３１０−１、…、３１０−ｎ）を備えており、複数の入力電圧Ｖｉｎ（即ち、入力電圧Ｖｉｎ−１、…、Ｖｉｎ−ｎ）を夫々昇圧して、複数の出力電圧Ｖｏｕｔ（即ち、出力電圧Ｖｉｎ−１、…、Ｖｏｕｔ−ｎ）を出力する。尚、複数の入力電圧Ｖｉｎは、互いに異なる電圧である。
【００４９】
昇圧回路３１０−１、…、３１０−ｎは好ましくは互いに概ね同様の構成を有する。即ち、昇圧回路３１０−ｉ（但し、ｉ＝１、…、ｎ）は、チャージポンプ回路５１０−ｉと、フライングコンデンサＦＣｉと、出力側コンデンサ５２０−ｉとを含んで構成され、入力電圧Ｖｉｎ−ｉを例えば２倍に昇圧して出力電圧Ｖｏｕｔ−ｉとして出力する。フライングコンデンサＦＣｉは、図３に示すコンデンサ２２３の一例である。フライングコンデンサＦＣｉは夫々チャージポンプ回路５１０−ｉに電気的に接続された一対の電極間に誘電体材料を挟持してなる。出力側コンデンサ５２０−ｉの一方の電極はチャージポンプ回路５１０−ｉに電気的に接続され、他方の電極は接地電位ＧＮＤに電気的に接続されている。
【００５０】
昇圧回路３１０−ｉは、チャージクロック信号ＣＫに基づいて、チャージポンプ回路５１０−ｉにおいてチャージポンプ動作を行うことにより、入力電圧Ｖｉｎ−ｉを昇圧して、出力電圧Ｖｏｕｔ−ｉとして出力する。
【００５１】
図６には、昇圧回路の動作例を概略的に説明するためのタイミングチャートを示してある。
【００５２】
図５に示すチャージクロック信号ＣＫは、チャージポンプ回路５１０−ｉの構成に応じて複数種類で供給されることもあり、互いに同期して所定周期で電位レベルがローレベル（Ｌ）及びハイレベル（Ｈ）に切り替わる複数種類のうちの一つについて、一例として図６に示してある。また、図６には、フライングコンデンサＦＣｉの一方の電極に電気的に接続された端子Ａｉにおける電位Ｖ−Ａｉ（言い換えれば、フライングコンデンサＦＣｉの一方の電極の電位Ｖ−Ａｉ）の時間的変化の一例と、これに対応して、フライングコンデンサＦＣｉの他方の電極に電気的に接続された端子Ｂｉにおける電位Ｖ−Ｂｉ（言い換えれば、フライングコンデンサＦＣｉの他方の電極の電位Ｖ−Ｂｉ）の時間的変化の一例が示されている。
【００５３】
図６において、期間Ｔ１においてチャージクロック信号ＣＫがローレベル（Ｌ）となるのに同期して、フライングコンデンサＦＣｉの一方の電極の電位Ｖ−Ａｉが接地電位ＧＮＤとされると共に、他方の電極の電位Ｖ−Ｂｉが、入力電圧Ｖｉｎ−ｉとされる。よって、期間Ｔ１において、フライングコンデンサＦＣｉに入力電圧Ｖｉｎ−ｉに応じた電荷が蓄積される（即ち、入力電圧Ｖｉｎ−ｉ分だけフライングコンデンサＦＣｉの充電が行われる）。
【００５４】
続いて、期間Ｔ２においてチャージクロック信号ＣＫがローレベル（Ｌ）からハイレベル（Ｈ）となるのに同期して、それまで接地電位ＧＮＤ（例えば０Ｖ）であったフライングコンデンサＦＣｉの一方の電極の電位Ｖ−Ａｉが、入力電圧Ｖｉｎ−ｉに高められると共に、それまで入力電圧Ｖｉｎ−ｉであったフライングコンデンサＦＣｉの他方の電極の電位Ｖ−Ｂｉが、入力電圧Ｖｉｎ−ｉの２倍の電圧２×Ｖｉｎ−ｉに高められる。更に、期間Ｔ２において、フライングコンデンサＦＣｉに蓄積された電荷が、チャージポンプ回路５１０−ｉを介して出力側トランジスタ５２０−ｉに移動する（即ち、フライングコンデンサＦＣｉの放電が行われる）。出力側トランジスタ５２０−ｉの一方の電極は、接地電位ＧＮＤに電気的に接続されているので、結果として、昇圧回路３１０−ｉから、入力電圧Ｖｉｎ−ｉの２倍の電圧２×Ｖｉｎ−ｉが出力電圧Ｖｏｕｔ−ｉとして出力される。
【００５５】
期間Ｔ２に続く期間Ｔ３では、期間Ｔ１と同様に、フライングコンデンサＦＣｉの充電が行われ、期間Ｔ３に続く期間Ｔ４では、期間Ｔ２と同様に、フライングコンデンサＦＣｉの放電が行われる。
【００５６】
以上のように、昇圧回路３１０−ｉの動作時には、チャージクロック信号ＣＫに基づいて、フライングコンデンサＦＣｉの充電及び放電が繰り返される。この際にフライングコンデンサＦＣｉには、チャージクロック信号ＣＫと同じ周期で入力電圧Ｖｉｎ−ｉと同じ大きさの振幅を有する交流電圧が印加される。その結果、フライングコンデンサＦＣｉが機械的に振動してしまうことがある。
【００５７】
図３に戻り、上述したフライングコンデンサＦＣｉと同様に交流電圧が印加されてコンデンサ２２３が振動すると、コンデンサ２２３の振動がフレキシブル基板２１０、及びフレキシブル基板２１０を介して液晶パネル１００等にまで伝播することで、雑音が大きくなってしまう場合もある。
【００５８】
図３において、本実施形態では特に、振動抑制部材２０２がフレキシブル基板２１０の本体部２１０ａ上に設けられている。
【００５９】
図７は、フレキシブル基板上における振動抑制部材及びコンデンサの配置関係を概略的に示す平面図であり、図８は、フレキシブル基板の折り曲げ構造の一例を概略的に示す概略図である。尚、図７ではフレキシブル基板上における振動抑制部材及びコンデンサのみに着目して示してあり、図３を参照して説明したそれ以外の構成要素については図示を省略してある。
【００６０】
図３及び図７において、本実施形態では特に、例えばステンレス鋼等の金属からなる金属板やＰＥＴ等の樹脂材料からなるプラスチック板により構成された振動抑制部材２０２が、例えばフレキシブル基板２１０上に粘着テープで貼り付けられている。振動抑制部材２０２は、フレキシブル基板２１０よりも高い質量密度（単位体積あたりの質量）を有している。本実施形態によれば、振動抑制部材２０２がフレキシブル基板２１０の少なくとも一部に所謂「おもり」として配置されることで、フレキシブル基板２１０の少なくとも一部の重さを形式的に大きくし、コンデンサ２２３の振動を伝播し難くする、或いはコンデンサ２２３の振動が伝播して生じる振動を低減することが可能となる。従って、コンデンサ２２３の振動の伝播に起因する雑音（例えば高周波数の音）を低減することができる。つまり、本実施形態によれば、振動抑制部材２０２によって、フレキシブル基板２１０の音響インピーダンス（即ち、振動の伝わりにくさ）を、フレキシブル基板２１０の少なくとも一部において大きくすることができ、コンデンサ２２３の振動がフレキシブル基板２１０に伝播することで発生する雑音を低減することができる。
【００６１】
尚、振動抑制部材２０２は、フレキシブル基板２１０における当該振動抑制部材２０２が貼り付けられる部分（或いは接触する部分）の質量密度よりも高い質量密度を有するのが好ましい。この場合には、より確実に、コンデンサ２２３の振動を伝播し難くすることができる。但し、振動抑制部材２０２が、フレキシブル基板２１０を構成する例えばポリイミド等からなるフィルム状のベース部材の質量密度よりも高い質量密度を有すれば、コンデンサ２３３の振動を伝搬し難くすることができるという効果を得ることができる。
【００６２】
更に、本実施形態では特に、振動抑制部材２０２は、本体部２１０ａ上におけるコンデンサ２２３と接続部２１０ｂとの間に配置されている。従って、本体部２１０ａにおいて、コンデンサ２２３と接続部２１０ｂとの間における振動抑制部材２０２が配置された一部の重さを形式的に大きくすることが可能となる。よって、本体部２１０ａにおいて、コンデンサ２２３と接続部２１０ｂとの間の一部で、図７中例えば波線矢印で示されるようなコンデンサ２２３の機械的な振動の伝播を生じ難くする、或いはコンデンサ２２３の振動が伝播して生じる振動を低減することが可能となる。従って、接続部２１０ｂに対しコンデンサ２２３の振動が伝播するのをより有効に抑制することができる。この結果、コンデンサ２２３の振動が接続部２１０ｂを介して液晶パネル１００に伝播し、液晶パネル１００が振動して雑音が大きくなるのをより有効に防止することが可能となる。
【００６３】
ここで、図８に示すように、液晶装置には液晶パネル１００の光源としてバックライト６００が設けられることがある。フレキシブル基板２１０は、液晶パネル１００に接続された一方側（図３及び図７に示す接続部２１０ｂ側）に対して他方側（図３及び図７に示す本体部２１０ａ側）が、バックライト６００（即ち液晶パネル１００においてフレキシブル基板２１０が接続された表側と反対の裏側）に向かって折り曲げられ、液晶パネル１００及びバックライト６００と共に、図８には図示しない実装ケース内に収容される場合がある。尚、図８中でも図７と同様にコンデンサ２２３の機械的な振動の伝播の一例を波線矢印で示してある。
【００６４】
仮に図８において、振動抑制部材２０２とコンデンサ２２３とがフレキシブル基板２１０上における互いに反対側の基板面に設けられると、フレキシブル基板２１０のコンデンサ２２３が配置された側と反対側に振動抑制部材２０２を配置するスペースを設ける必要があり、フレキシブル基板２１０を折り曲げる際により広いスペースを要することとなる。これに対し本実施形態では、振動抑制部材２０２はフレキシブル基板２１０上においてコンデンサ２２３が実装されている側に配置され（即ち、振動抑制部材２０２及びコンデンサ２２３は、フレキシブル基板２１０における同一の基板面に配置され）、フレキシブル基板２１０上においてコンデンサ２２３が実装された側とは反対側に振動抑制部材２０２を配置するためのスペースを確保する必要がないため、より省スペース化を図ることが可能となる。
【００６５】
以上説明したような本実施形態によれば、振動抑制部材２０２は製造プロセスを煩雑化することなく容易に設けることができ、液晶装置の駆動方法やコンデンサ２２３の構成に変更を伴うこともない。従って、フレキシブル基板２１０におけるコンデンサ２２３の振動に起因する雑音を容易に低減することが可能となる。
【００６６】
尚、本実施形態は以上説明したような構成に限定されず、例えば図８を参照し説明した構成とは異なり、フレキシブル基板が折り曲げられないで実装ケース内に収容されるような構成も適用可能であり、フレキシブル基板上においてコンデンサ及び振動抑制部材は互いに同じ側に配置されてもよいし、異なる側に配置されてもよい。また、図９から図１１に示すように振動抑制部材が配置されるようにしてもよい。
【００６７】
図９は、本実施形態の一変形例について、フレキシブル基板上における振動抑制部材及びコンデンサの配置関係を概略的に示す平面図であり、図１０は、本実施形態の他の変形例について、フレキシブル基板上における振動抑制部材及びコンデンサの配置関係を概略的に示す平面図であり、図１１は、フレキシブル基板の折り曲げ構造の他の例を概略的に示す概略図である。尚、図９及び図１０では、フレキシブル基板上における振動抑制部材及びコンデンサのみに着目して示してあり、例えば図３を参照して説明したそれ以外の構成要素については図示を省略してある。
【００６８】
図９或いは図１０に示すように、フレキシブル基板２１０において振動抑制部材２０２はコンデンサ２２３の周囲を少なくとも部分的に包囲するように配置されるようにしてもよい。
【００６９】
即ち、図９に示すように、振動抑制部材２０２は、フレキシブル基板２１０上においてコンデンサ２２３を周囲から概ね連続的に包囲するように配置されてもよい。
【００７０】
或いは、図１０に示すように、振動抑制部材２０２は、フレキシブル基板２１０上にコンデンサ２２３を挟んで２箇所に個別に配置され、一方の箇所でコンデンサ２２３と接続部２１０ｂとの間に配置されると共に、他方の箇所では一方の箇所とはコンデンサ２２３に対して異なる側に配置されてもよい。
【００７１】
図９及び図１０に示すような構成によれば、フレキシブル基板２１０において、コンデンサ２２３の周囲を少なくとも部分的に包囲する振動抑制部材２０２が配置された一部の重さを形式的に大きくして、コンデンサ２２３の振動を伝播し難くする、或いはコンデンサ２２３の振動が伝播して生じる振動を低減することが可能となる。例えば、図９又は図１０に示すような構成によれば、図１１において一例として波線矢印で示すような、液晶パネル１００側及びバックライト６００側へのコンデンサ２２３の振動の伝播を生じ難くする、或いはコンデンサ２２３の振動が液晶パネル１００側及びバックライト６００側へ伝播して生じる振動を低減することができる。よって、フレキシブル基板２１０においてコンデンサ２２３からその周囲へ、更にはフレキシブル基板２１０を介して液晶パネル１００等にまで振動が伝播するのをより有効に抑制することができる。
【００７２】
次に、上述した本実施形態に係る液晶装置を適用可能な電子機器の具体例について、図１２を参照して説明する。
【００７３】
上述した液晶装置を、タッチパネル機能（或いはタッチスクリーン機能）を有するゲーム機器等のポータブルコンピュータの表示部に適用した例について説明する。図１２は、このポータブルコンピュータの構成を示す斜視図である。同図に示すように、ポータブルコンピュータ４０００は、本体部に操作ボタン４００１や電源スイッチ４００２を備え、上述した液晶装置を適用した表示部４００３を備えている。表示部４００３においてはタッチペン等による入力操作が可能となっており、本体部では操作ボタン４００１等に加えてタッチペン等による入力内容に従った動作を行うことが可能なように構成されている。
【００７４】
尚、図１２を参照して説明した電子機器の他にも、プロジェクタや、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末等が挙げられる。そして、これらの各種電子機器に適用可能なのは言うまでもない。
【００７５】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００７６】
本発明は、上述した実施形態に限られるものではなく、特許請求の範囲及び明細書全体から読み取れる発明の要旨或いは思想に反しない範囲で適宜変更可能であり、そのような変更を伴う電気光学装置及び電子機器もまた本発明の技術的範囲に含まれるものである。
【符号の説明】
【００７７】
１００…液晶パネル、２０２…振動抑制部材、２１０…フレキシブル基板、２１０ａ…本体部、２１０ｂ…接続部、２２３…コンデンサ
【図１】
2010204567.tif 000003
【図２】
2010204567.tif 000004
【図３】
2010204567.tif 000005
【図４】
2010204567.tif 000006
【図５】
2010204567.tif 000007
【図６】
2010204567.tif 000008
【図７】
2010204567.tif 000009
【図８】
2010204567.tif 000010
【図９】
2010204567.tif 000011
【図１０】
2010204567.tif 000012
【図１１】
2010204567.tif 000013
【図１２】
2010204567.tif 000014